(57)【要約】【課題】省電力状態と通常状態とのいずれの状態にあろうとも、使用者に赤外線を照射し不快な状態とする期間を極力短縮しつつ、かつ、使用者の有無を精度高く検出することが可能である映像表示装置および映像表示方法を提供する。【解決手段】映像表示装置は、所定の光を照射せずに人体から放出される前記所定の光を検出することにより人体の存在の有無を検出し、検出結果を出力するパッシブ型人感センサーと、前記所定の光を照射して人体から反射される前記所定の光を検出することにより人体の存在の有無を検出し、検出結果を出力するアクティブ型人感センサーと、前記パッシブ型人感センサーの検出結果と同じ検出結果を前記アクティブ型人感センサーが出力するか否かを判定して、当該判定結果に基づき、映像表示装置の電力状態を通常状態と省電力状態との間において状態遷移を実行させる制御部と、を備える。【選択図】図７
2019152478.tif 000002
【特許請求の範囲】
【請求項１】
所定の光を照射せずに人体から放出される前記所定の光を検出することにより人体の存在の有無を検出し、検出結果を出力するパッシブ型人感センサーと、
前記所定の光を照射して人体から反射される前記所定の光を検出することにより人体の存在の有無を検出し、検出結果を出力するアクティブ型人感センサーと、
前記パッシブ型人感センサーの検出結果と同じ検出結果を前記アクティブ型人感センサーが出力するか否かを判定して、判定結果に基づき、映像表示装置の電力状態を通常状態と省電力状態との間において状態遷移を実行させる制御部と、
を備える
映像表示装置。
【請求項２】
前記制御部は、
前記通常状態においては、
前記パッシブ型人感センサーが人体を検出できなかったときに、前記アクティブ型人感センサーを動作させ、
前記アクティブ型人感センサーが人体を検出できなかったときに、映像表示装置の電力状態を前記通常状態から前記省電力状態へ移行させ、
前記アクティブ型人感センサーが人体を検出できたときに、前記アクティブ型人感センサーの動作を停止し、
一方、前記省電力状態においては、前記パッシブ型人感センサーが人体を検出したときに、前記アクティブ型人感センサーを動作させ、
前記アクティブ型人感センサーが人体を検出したときに、映像表示装置の電力状態を前記省電力状態から前記通常状態へ移行させ、
前記アクティブ型人感センサーが人体を検出しなかったときに、前記アクティブ型人感センサーの動作を停止する、
請求項１に記載の映像表示装置。
【請求項３】
前記制御部は、
映像表示装置の電力状態を通常状態と省電力状態との間において状態遷移を実行させた後に、前記アクティブ型人感センサーの動作を停止する、
請求項２に記載の映像表示装置。
【請求項４】
前記パッシブ型人感センサーは、前記アクティブ型人感センサーが有する前記所定の光を受光する受光部を用いて代用されるセンサーであって、
前記制御部は、照射した前記所定の光を検出する場合と、環境周囲の前記所定の光を検出する場合とで、前記受光部の設定を切り替えて制御する、
請求項１から請求項３いずれか一項に記載の映像表示装置。
【請求項５】
パッシブ型人感センサーが、所定の光を照射せずに人体から放出される前記所定の光を検出することにより人体の存在の有無を検出し、検出結果を出力するパッシブ型人感センシング工程と、
アクティブ型人感センサーが、前記所定の光を照射して人体から反射される前記所定の光を検出することにより人体の存在の有無を検出し、検出結果を出力するアクティブ型人感センシング工程と、
制御部が、前記パッシブ型人感センサーの検出結果と同じ検出結果を前記アクティブ型人感センサーが出力するか否かを判定して、判定結果に基づき、映像表示装置の電力状態を通常状態と省電力状態との間において状態遷移を実行させる制御工程と、
を備える
映像表示方法。
【発明の詳細な説明】
【技術分野】
【０００１】
本発明は、映像表示装置および映像表示方法に関する。
【背景技術】
【０００２】
パーソナルコンピュータやワークステーション等をはじめとする各種コンピュータ端末や各種の電子機器において、画像等の各種情報を表示する映像表示装置が用いられている。このような映像表示装置において、予め設定された待機時間の間、何の操作もなされなかった場合には、省電力のために、映像表示装置の電源を省電力モードに移行させたり、電源を切ったりすることが行われている。
【０００３】
しかしながら、使用者がコンピュータ端末の前に居ても、所定時間以上の操作をしないために、一定の待機時間後に映像表示装置の電源が切れると、使用者にとっては不便に感じることがある。
【０００４】
そこで、特許文献１には、映像表示装置のディスプレイ面の外周部に赤外線センサーを設置して、この赤外線センサーにより、映像表示装置に対面する使用者がいるか否かを検出し、使用者の存在を検出した場合には、映像表示装置の電源を省電力モードに移行させたり、電源を切ることを行わないようにする制御手段が提示されている。
【０００５】
以降の説明のため、自身から赤外線を照射し、照射した赤外線の反射波を検出する人感センサーをアクティブ型人感センサーと呼び、自身からは赤外線の照射は行わず、物体から放出される赤外線を検出するのみの人感センサーをパッシブ型人感センサーと呼ぶこととする。
アクティブ型人感センサーは、赤外線を照射する発光部と赤外線の検出をする受光部から構成される。照射した赤外線の反射波を観測することで、センサーの前面に存在する物体の有無を検出する。
【０００６】
一方、パッシブ型人感センサーは、自身からは赤外線を照射せず、物体の表面から放出される微量な赤外線を検出する受光部を有する。
受光部では、背景と物体との赤外線のエネルギー差をよみとり、センサーの前面に存在する物体の有無を検出する。
原理上、赤外線の検出感度は高いが、環境温度や空調の対流の影響、特許文献２のように装置自身の電源負荷状態の変化の影響など、雑音による影響を受けやすく、些細な赤外線の変化を離着席の状態変化として観測してしまうことがある。
これらの点から、映像表示装置の正面に座する人体の検出という目的においては、パッシブ型人感センサーの検出精度はアクティブ型人感センサーに劣る。
【先行技術文献】
【特許文献】
【０００７】
【特許文献１】特開平４−２８０３１１号公報
【特許文献２】特許第６１５６９５１号公報
【発明の概要】
【発明が解決しようとする課題】
【０００８】
しかしながら、人感センサーを搭載し、人感センサーから照射した赤外線の反射波を捉えて人体の検出を行う機能を持つ映像表示装置では、映像表示装置がオフィスのデスクなど、使用者の前面に設置されて使用される場合において、使用者にとって、人感センサーから照射される赤外線の光が目障りに感じて、デスクワークに集中できない。
【０００９】
また、上記の対策のために、すなわち、使用者が、人感センサーから照射される赤外線の光が目障りに感じることのないようにする対策のために、例えば、赤外線を照射する位置を映像表示装置の真正面以外に設置した場合、使用者からは赤外線の照射を認識しにくくなるが、人感センサーによる使用者の離着席の状態を検出する精度が悪化してしまう。
【００１０】
本発明は、上記課題を解決することができる、すなわち、省電力状態と通常状態とのいずれの状態にあろうとも、使用者に赤外線を照射し不快な状態とする期間を極力短縮しつつ、かつ、使用者の有無を精度高く検出することが可能である映像表示装置および映像表示方法を提供することを目的とする。
【課題を解決するための手段】
【００１１】
上記課題を解決するため、本発明の一態様は、所定の光を照射せずに人体から放出される前記所定の光を検出することにより人体の存在の有無を検出し、検出結果を出力するパッシブ型人感センサーと、前記所定の光を照射して人体から反射される前記所定の光を検出することにより人体の存在の有無を検出し、検出結果を出力するアクティブ型人感センサーと、前記パッシブ型人感センサーの検出結果と同じ検出結果を前記アクティブ型人感センサーが出力するか否かを判定して、判定結果に基づき、映像表示装置の電力状態を通常状態と省電力状態との間において状態遷移を実行させる制御部と、を備える映像表示装置である。
【００１２】
また、本発明の一態様は、パッシブ型人感センサーが、所定の光を照射せずに人体から放出される前記所定の光を検出することにより人体の存在の有無を検出し、検出結果を出力するパッシブ型人感センシング工程と、アクティブ型人感センサーが、前記所定の光を照射して人体から反射される前記所定の光を検出することにより人体の存在の有無を検出し、検出結果を出力するアクティブ型人感センシング工程と、制御部が、前記パッシブ型人感センサーの検出結果と同じ検出結果を前記アクティブ型人感センサーが出力するか否かを判定して、判定結果に基づき、映像表示装置の電力状態を通常状態と省電力状態との間において状態遷移を実行させる制御工程と、を備える映像表示方法である。
【発明の効果】
【００１３】
本発明の一態様によれば、制御部は、パッシブ型人感センサーの検出結果と同じ検出結果をアクティブ型人感センサーが出力するか否かを判定して、判定結果に基づき、映像表示装置の電力状態を通常状態と省電力状態との間において状態遷移を実行させる。
これにより、省電力状態と通常状態とのいずれの状態にあろうとも、使用者に赤外線を照射し不快な状態とする期間を極力短縮しつつ、かつ、使用者の有無を精度高く検出することが可能である映像表示装置および映像表示方法を提供することができる。
【図面の簡単な説明】
【００１４】
【図１】本発明装置の構成を表すブロック図である。
【図２】本発明装置に搭載するパッシブ型人感センサーによる赤外線の検出の様子を表す図である。
【図３】本発明装置に搭載するアクティブ型人感センサーによる赤外線の照射と検出の様子を表す図である。
【図４】本発明装置の電力状態の状態遷移を示す図である。
【図５】本発明装置の電力状態が通常状態である場合の人体の検出処理のフロー図である。
【図６】本発明装置の電力状態が省電力状態である場合の人体の検出処理のフロー図である。
【図７】本発明装置の基本構成を表すブロック図である。
【発明を実施するための形態】
【００１５】
以下、本発明の実施形態について図面を参照して説明する。
図１は、本発明装置の構成を表すブロック図である。
図１に示すように、映像表示装置１００は、アクティブ型人感センサー１１０、パッシブ型人感センサー１２０、制御部１３０、電源１４０、映像表示部１５０、スケーリングＩＣ、ＲＯＭ１７０、ＲＡＭ１８０を含んで構成される。
なお、図１において、矢印は制御や情報の入出力の方向を示している。
【００１６】
映像表示装置１００は、液晶ディスプレイや液晶テレビといった映像表示装置である。
図１に示すように、映像表示装置１００は、アクティブ型人感センサー１１０とパッシブ型人感センサー１２０を搭載した映像表示装置である。
また、映像表示装置１００は、制御部１３０を搭載し、各人感センサーによる検出結果を元に、制御部１３０が装置を通常の電力状態から省電力状態に移行させたり、あるいは、その逆の状態遷移を行うよう映像表示装置１００全体の制御を行う。
つまり、本発明装置の映像表示装置１００は、アクティブ型人感センサー１１０（搭載した人感センサー）からの赤外線の常時照射をやめ、必要なときにのみ、赤外線の照射を行うよう制御することを特徴とする。また、単純に赤外線の照射頻度を低くするだけではなく、赤外線照射型の人感センサーのメリットである離着席状態の検出精度の高さを維持する。
【００１７】
図２は、本発明装置に搭載するパッシブ型人感センサーによる赤外線の検出の様子を表す図である。
パッシブ型人感センサー１２０は、フォトダイオードなどで構成される赤外線受光部２２１を持つセンサー部品である。
パッシブ型人感センサー１２０は、図２に示すように人体から放出される赤外線を検出する。
映像表示装置１００の制御部１３０は、パッシブ型人感センサー１２０とＩ２Ｃ（Ｉｎｔｅｒ−Ｉｎｔｅｇｒａｔｅｄ  Ｃｉｒｃｕｉｔ）などの内部配線で接続されており、センサーの検出結果の取得および検出設定の変更を制御する。
【００１８】
図３は、本発明装置に搭載するアクティブ型人感センサーによる赤外線の照射と検出の様子を表す図である。
アクティブ型人感センサー１１０は、フォトダイオードなどで構成される赤外線受光部２１１と赤外線発光ダイオードなどで構成される赤外線発光部２１２を持つセンサー部品である。
アクティブ型人感センサー１１０は、図３に示すように自身から赤外線を照射し、その反射波の赤外線を検出することで、人体の有無の検出を行う。
映像表示装置１００の制御部１３０は、アクティブ型人感センサー１１０とＩ２Ｃなどの内部配線で接続されており、センサーの検出結果の取得および検出／照射設定の変更を制御する。
【００１９】
図１に戻って、制御部１３０は、映像表示装置１００の制御ソフトウェアが書き込みされたＭＰＵ（Ｍｉｃｒｏ  Ｐｒｏｃｅｓｓｉｎｇ  Ｕｎｉｔ；マイクロプロセッサユニット）を含む回路である。制御部１３０は、上述のように、パッシブ型人感センサー１２０の検出結果の取得および検出設定の変更を制御し、アクティブ型人感センサー１１０の検出結果の取得および検出／照射設定の変更を制御する。
また、制御部１３０は、パッシブ型人感センサー１２０の検出結果と同じ検出結果をアクティブ型人感センサー１１０が出力するか否かを判定して、判定結果に基づき、映像表示装置１００の電力状態を通常状態と省電力状態との間において状態遷移を実行させる。詳細は後述する。
【００２０】
電源１４０は、映像表示装置１００の内蔵電源で、装置の各部位の動作に必要な電力を生成する。
映像表示部１５０は、液晶パネルや有機ＥＬ（Ｅｌｅｃｔｒｏ  Ｌｕｍｉｎｅｓｃｅｎｃｅ）パネルといった映像表示部品である。
スケーリングＩＣ１６０は、映像表示装置１００に入力された映像信号に対して、拡大縮小や色補正など、種々の変換を施して、映像表示部１５０に出力するＩＣ（Ｉｎｔｅｇｒａｔｅｄ  Ｃｉｒｃｕｉｔ；集積回路）である。
ＲＯＭ（Ｒｅａｄ  Ｏｎｌｙ  Ｍｅｍｏｒｙ）１７０は、人感センサーの計測状態やデータの記録が可能な不揮発性のメモリである。
ＲＡＭ（Ｒａｎｄｏｍ  Ａｃｃｅｓｓ  Ｍｅｍｏｒｙ）１８０は、制御部１３０が演算処理を行うための一時的な記憶領域である。
【００２１】
図４は、本発明装置の電力状態の状態遷移を示す図である。
映像表示装置１００は、図４で示す電力状態を遷移する。
まず、バケーションスイッチやプッシュスイッチなどで、映像表示装置１００の電源１４０をオンした後、Ｐｏｗｅｒ  ＯＦＦ状態からＰｏｗｅｒ  ＯＮ状態かつ通常状態に移行する。
通常状態とは、映像表示装置１００を使用者が使用する状態を指している。一方、省電力状態とは、映像表示装置１００が休止状態となり、通常状態より消費電力を抑えた状態を指している。省電力状態でも制御部１３０による人感センサー（パッシブ型人感センサー１２０、アクティブ型人感センサー１１０）の制御は継続される。
通常状態では、図５のフローに示す人感センサーを用いた処理を行い、装置の使用者が離席していると判断された場合には、省電力状態に移行する。
一方、省電力状態では、図６のフローに示す人感センサーを用いた処理を行い、装置の使用者が着席していると判断された場合には、通常状態に移行する。
続いて、図５のフローに示す人感センサーを用いた処理、図６のフローに示す人感センサーを用いた処理について説明する。
【００２２】
図５は、本発明装置の電力状態が通常状態である場合の人体の検出処理のフロー図である。
まず、パッシブ型人感センサーによる人体検出を実施する（ステップＳ５０１）。
具体的には、パッシブ型人感センサー１２０は、人体から放出される赤外線を検出することにより人体の存在の有無を検出し、検出結果を出力する。
続いて、人体を検出できなかったか否かの判断が行われる（ステップＳ５０２）。
具体的には、制御部１３０は、パッシブ型人感センサー１２０からの検出結果によって人体が検出できたかどうかの判断を行う。制御部１３０は、人体が検出できている場合には（ステップＳ５０２−ＮＯ）、パッシブ型人感センサー１２０による監視を継続する（ステップＳ５０１）。一方、制御部１３０は、人体が検出できなかった場合は（ステップＳ５０２−ＹＥＳ）、ステップＳ５０４の処理に進む。
【００２３】
ステップＳ５０４の処理では、離席の可能性ありとして、アクティブ型人感センサーによる人体の検出を行う（ステップＳ５０４）。
具体的には、制御部１３０は、アクティブ型人感センサー１１０から赤外線を照射して赤外線の反射を確認する。
続いて、人体を検出できなかったか否かの判断が行われる（ステップＳ５０５）。
具体的には、制御部１３０は、アクティブ型人感センサー１１０からの検出結果によって人体が検出できたかどうかの判断を行う。制御部１３０は、人体が検出できた場合には（ステップＳ５０５−ＮＯ）、ステップＳ５０３の処理に進む。一方、制御部１３０は、人体が検出できなかった場合は（ステップＳ５０５−ＹＥＳ）、ステップＳ５０６の処理に進む。
ステップＳ５０３の処理では、アクティブ型人感センサーの動作を停止する。（ステップＳ５０３）。
具体的には、制御部１３０は、アクティブ型人感センサー１１０からの検出結果により、アクティブ型人感センサー１１０の動作を停止し、アクティブ型人感センサー１１０からの赤外線の照射を止める。
【００２４】
一方、ステップＳ５０６の処理では、表示装置を省電力状態に移行させる（ステップＳ５０６）。
具体的には、制御部１３０は、映像表示装置１００の電力状態を通常状態から省電力状態に移行させる。
続いて、アクティブ型人感センサーの動作を停止する。（ステップＳ５０７）。
具体的には、制御部１３０は、アクティブ型人感センサー１１０からの検出結果により、アクティブ型人感センサー１１０の動作を停止し、アクティブ型人感センサー１１０からの赤外線の照射を止める。
一方、パッシブ型人感センサーによる人体の検出（監視）は継続する（ステップＳ５０８）。
具体的には、制御部１３０は、パッシブ型人感センサー１２０からの検出結果の取得を継続する。
【００２５】
このように、制御部１３０は、電力状態の通常状態においては、パッシブ型人感センサー１２０が人体を検出できなかった場合（ステップＳ５０２−ＹＥＳ）、アクティブ型人感センサー１１０に対して、使用者の離席の可能性ありとして人体検出を実施させる（ステップＳ５０４）。そして、制御部１３０は、パッシブ型人感センサー１２０が人体を検出できなかったという判定結果（ステップＳ５０２−ＹＥＳ）と同じ検出結果をアクティブ型人感センサー１１０が出力するか否かの判定（アクティブ型人感センサー１１０が人体を検出できなかったか否かの判定）を行う（ステップＳ５０５）。
そして、アクティブ型人感センサー１１０が人体を検出できた場合（ステップＳ５０５−ＮＯ）、当該判定結果（使用者がいるということ（使用者の有無のうちの有））に基づいて、アクティブ型人感センサー１１０の動作を停止させる（ステップＳ５０３）。
これにより、使用者に赤外線を照射し不快な状態とする期間を極力短縮しつつ、かつ、使用者がいるということ（使用者の有無のうちの有）を精度高く検出することが可能となる。
【００２６】
また、制御部１３０は、電力状態の通常状態においては、パッシブ型人感センサー１２０が人体を検出できなかった場合（ステップＳ５０２−ＹＥＳ）、アクティブ型人感センサー１１０に対して、使用者の離席の可能性ありとして人体検出を実施させる（ステップＳ５０４）。そして、制御部１３０は、パッシブ型人感センサー１２０が人体を検出できなかったという判定結果（ステップＳ５０２−ＹＥＳ）と同じ検出結果をアクティブ型人感センサー１１０が出力するか否かの判定（アクティブ型人感センサー１１０が人体を検出できなかったか否かの判定）を行う（ステップＳ５０５）。
そして、アクティブ型人感センサー１１０が人体を検出できなかった場合（ステップＳ５０５−ＹＥＳ）、当該判定結果（使用者がいるということ（使用者の有無のうちの無））に基づいて、表示装置（映像表示装置１００）を省電力状態に移行させ（ステップＳ５０６）、アクティブ型人感センサー１１０の動作を停止させる（ステップＳ５０７）。
これにより、使用者がいないということ（使用者の有無のうちの無）を検出することが可能となり、表示装置（映像表示装置１００）を省電力状態に移行させる。
【００２７】
図６は、本発明装置の電力状態が省電力状態である場合の人体の検出処理のフロー図である。
まず、パッシブ型人感センサーによる人体検出を実施する（ステップＳ６０１）。
具体的には、パッシブ型人感センサー１２０は、人体から放出される赤外線を検出することにより人体の存在の有無を検出し、検出結果を出力する。
続いて、人体を検出したか否かの判断が行われる（ステップＳ６０２）。
具体的には、制御部１３０は、パッシブ型人感センサー１２０からの検出結果によって人体が検出できたかどうかの判断を行う。制御部１３０は、人体が検出できていない場合には（ステップＳ６０２−ＮＯ）、パッシブ型人感センサー１２０による監視を継続する（ステップＳ６０１）。一方、制御部１３０は、人体が検出できた場合は（ステップＳ６０２−ＹＥＳ）、ステップＳ６０４の処理に進む。
【００２８】
ステップＳ６０４の処理では、着席の可能性ありとして、アクティブ型人感センサーによる人体の検出を行う（ステップＳ６０４）。
具体的には、制御部１３０は、アクティブ型人感センサー１１０から赤外線を照射して赤外線の反射を確認する。
続いて、人体を検出したか否かの判断が行われる（ステップＳ６０５）。
具体的には、制御部１３０は、アクティブ型人感センサー１１０からの検出結果によって人体が検出できたかどうかの判断を行う。制御部１３０は、人体が検出できなかった場合には（ステップＳ６０５−ＮＯ）、ステップＳ６０３の処理に進む。一方、制御部１３０は、人体が検出できた場合は（ステップＳ６０５−ＹＥＳ）、ステップＳ６０６の処理に進む。
ステップＳ６０３の処理では、アクティブ型人感センサーの動作を停止する。（ステップＳ６０３）。
具体的には、制御部１３０は、アクティブ型人感センサー１１０からの検出結果により、アクティブ型人感センサー１１０の動作を停止し、アクティブ型人感センサー１１０からの赤外線の照射を止める。
【００２９】
一方、ステップＳ６０６の処理では、表示装置を通常状態に移行させる（ステップＳ６０６）。
具体的には、制御部１３０は、映像表示装置１００の電力状態を省電力状態から通常状態に移行させる。
続いて、アクティブ型人感センサーの動作を停止する。（ステップＳ６０７）。
具体的には、制御部１３０は、アクティブ型人感センサー１１０からの検出結果により、アクティブ型人感センサー１１０の動作を停止し、アクティブ型人感センサー１１０からの赤外線の照射を止める。
一方、パッシブ型人感センサーによる人体の検出（監視）は継続する（ステップＳ６０８）。
具体的には、制御部１３０は、パッシブ型人感センサー１２０からの検出結果の取得を継続する。
【００３０】
このように、制御部１３０は、電力状態の省電力状態においては、パッシブ型人感センサー１２０が人体を検出した場合（ステップＳ６０２−ＹＥＳ）、アクティブ型人感センサー１１０に対して、使用者の着席の可能性ありとして人体検出を実施させる（ステップＳ６０４）。そして、制御部１３０は、パッシブ型人感センサー１２０が人体を検出したという判定結果（ステップＳ６０２−ＹＥＳ）と同じ検出結果をアクティブ型人感センサー１１０が出力したか否かの判定（アクティブ型人感センサー１１０が人体を検出したか否かの判定）を行う（ステップＳ６０５）。
そして、アクティブ型人感センサー１１０が人体を検出した場合（ステップＳ６０５−ＹＥＳ）、当該判定結果（使用者がいるということ（使用者の有無のうちの有））に基づいて、表示装置（映像表示装置１００）を通常状態に移行させ（ステップＳ６０６）、アクティブ型人感センサー１１０の動作を停止させる（ステップＳ６０７）。
これにより、使用者に赤外線を照射し不快な状態とする期間を極力短縮しつつ、かつ、使用者がいるということ（使用者の有無のうちの有）を精度高く検出することが可能となり、表示装置（映像表示装置１００）を通常状態に移行させる。
【００３１】
また、制御部１３０は、電力状態の省電力状態においては、パッシブ型人感センサー１２０が人体を検出した場合（ステップＳ６０２−ＹＥＳ）、アクティブ型人感センサー１１０に対して、使用者の着席の可能性ありとして人体検出を実施させる（ステップＳ６０４）。そして、制御部１３０は、パッシブ型人感センサー１２０が人体を検出したという判定結果（ステップＳ６０２−ＹＥＳ）と同じ検出結果をアクティブ型人感センサー１１０が出力したか否かの判定（アクティブ型人感センサー１１０が人体を検出したか否かの判定）を行う（ステップＳ６０５）。
そして、アクティブ型人感センサー１１０が人体を検出しなかった場合（ステップＳ６０５−ＮＯ）、当該判定結果（使用者がいないということ（使用者の有無のうちの無））に基づいて、アクティブ型人感センサー１１０の動作を停止させる（ステップＳ６０３）。
これにより、使用者がいないということ（使用者の有無のうちの無）を検出することが可能となる。
【００３２】
上述したように、本発明では、図５と図６に示す制御を行うことで、映像表示装置１００の使用者にとって不快な状態（すなわち、着席時に映像表示装置１００から赤外線が照射されている状態）となる期間を極力短縮しつつも、アクティブ型人感センサー１１０のメリットである検出精度を落とさずに、課題を解決することができる。
さらに、本発明では、映像表示装置１００が省電力状態の場合においても赤外線が照射されている期間を短縮するため、映像表示装置１００の周囲に設置されている赤外線を検出する人感センサーを搭載した機器の誤検出の防止についても効果が期待できる。
【００３３】
次に、図７を参照して、本発明の実施形態の基本的構成例について説明する。図７は、本発明装置の基本構成を表すブロック図である。
図７に示す映像表示装置１００は、パッシブ型人感センサー１２０と、アクティブ型人感センサー１１０と、制御部１３０とを備える。
パッシブ型人感センサー１２０は、赤外線（所定の光）を照射せずに人体から放出される所定の光を検出することにより人体の存在の有無を検出し、検出結果を出力する。
アクティブ型人感センサー１１０は、所定の光を照射して人体から反射される所定の光を検出することにより人体の存在の有無を検出し、検出結果を出力する。
制御部１３０は、パッシブ型人感センサー１２０の検出結果と同じ検出結果（ステップＳ５０２−ＹＥＳ、ステップＳ６０２−ＹＥＳ）をアクティブ型人感センサー１１０が出力するか否かを判定して（ステップＳ５０５、ステップＳ６０５）、判定結果に基づき、映像表示装置の電力状態を通常状態と省電力状態との間において状態遷移を実行させる（ステップＳ５０５−ＹＥＳ→ステップＳ５０６、ステップＳ６０５−ＹＥＳ→ステップＳ６０６）。
【００３４】
ここで、映像表示装置１００における制御部１３０は、下記のような判定結果に基づき、映像表示装置の電力状態を通常状態と省電力状態との間において状態遷移を実行させる。
すなわち、制御部１３０は、通常状態においては、パッシブ型人感センサー１２０が人体を検出できなかったときに（ステップＳ５０２−ＹＥＳ）、アクティブ型人感センサー１１０を動作させ（ステップＳ５０４）、アクティブ型人感センサー１１０が人体を検出できなかったときに（ステップＳ５０５−ＹＥＳ）、映像表示装置１００の電力状態を通常状態から省電力状態へ移行させる（ステップＳ５０６）。
また、制御部１３０は、アクティブ型人感センサー１１０が人体を検出できたときに（ステップＳ５０５−ＮＯ）、アクティブ型人感センサー１１０の動作を停止する（ステップＳ５０３）。
【００３５】
一方、制御部１３０は、省電力状態においては、パッシブ型人感センサー１２０が人体を検出したときに（ステップＳ６０２−ＹＥＳ）、アクティブ型人感センサー１１０を動作させ（ステップＳ６０４）、アクティブ型人感センサー１１０が人体を検出したときに（ステップＳ６０５−ＹＥＳ）、映像表示装置１００の電力状態を省電力状態から通常状態へ移行させる（ステップＳ６０６）。
また、制御部１３０は、アクティブ型人感センサー１１０が人体を検出しなかったときに（ステップＳ６０５−ＮＯ）、アクティブ型人感センサー１１０の動作を停止する（ステップＳ６０３）。
【００３６】
以上のように、本発明の一態様によれば、制御部１３０は、パッシブ型人感センサー１２０の検出結果と同じ検出結果（ステップＳ５０２−ＹＥＳ、ステップＳ６０２−ＹＥＳ）をアクティブ型人感センサー１１０が出力するか否かを判定して（ステップＳ５０５、ステップＳ６０５）、判定結果に基づき、映像表示装置の電力状態を通常状態と省電力状態との間において状態遷移を実行させる（ステップＳ５０５−ＹＥＳ→ステップＳ５０６、ステップＳ６０５−ＹＥＳ→ステップＳ６０６）。
これにより、省電力状態と通常状態とのいずれの状態にあろうとも、使用者に赤外線を照射し不快な状態とする期間を極力短縮しつつ、かつ、使用者の有無を精度高く検出することが可能となる。
【００３７】
なお、本発明は、上述の実施形態に限定されるものではなく、本発明の目的を達成できる範囲での変形、改良等は本発明に含まれるものである。
例えば、本実施例では、アクティブ型人感センサー１１０に加えて、パッシブ型人感センサー１２０を追加搭載している。
ここで、アクティブ型人感センサー１１０が持つ赤外線受光部２１１を用いて、パッシブ型人感センサー１２０の代用とすることも可能である。
その場合には、アクティブ型人感センサー１１０の赤外線受光部２１１の設定（赤外線のサンプリング周期や検出値のゲイン設定など）を映像表示装置１００の制御部１３０から適宜、照射した赤外線を検出する場合と環境周囲の赤外線を検出する場合とで切り替えて制御することで対応できる。
【符号の説明】
【００３８】
１００…映像表示装置、１１０…アクティブ型人感センサー、１２０…パッシブ型人感センサー、１３０…制御部、１４０…電源、１５０…映像表示部、１６０…スケーリングＩＣ、１７０…ＲＯＭ、１８０…ＲＡＭ、２１１，２２１…赤外線受光部、２１２…赤外線発光部
【図１】
2019152478.tif 000003
【図２】
2019152478.tif 000004
【図３】
2019152478.tif 000005
【図４】
2019152478.tif 000006
【図５】
2019152478.tif 000007
【図６】
2019152478.tif 000008
【図７】
2019152478.tif 000009